(57)【要約】【課題】  安価で、かつ省資源化が図れる吸水パッド付き生ゴミ袋を提供する。【解決手段】  吸水パッド付き生ゴミ袋１は、紙製袋本体２の底部３に、生ゴミの水分を吸収する吸水パッド４が配置されている。吸水パッド４は、外層が不織布袋で形成され、その不織布袋内に封入された吸水材料５として、古紙の裁断物又は破砕物が使われている。【選択図】図１
0003165974.tif 000002
【実用新案登録請求の範囲】
【請求項１】
紙製袋本体の底部に、生ゴミの水分を吸収する吸水パッドが配置され、
前記吸水パッドは外層が不織布袋で形成され、その不織布袋内に吸水材料として、古紙の裁断物又は破砕物が封入されていることを特徴とする吸水パッド付き生ゴミ袋。
【請求項２】
紙製袋本体の底部に、生ゴミの水分を吸収する吸水パッドが接着され、
前記吸水パッドは外層が不織布袋で形成され、その不織布袋内に吸水材料として、古紙の裁断物又は破砕物が封入され、
前記紙製袋本体は折り込み線で折り込まれた四角形状の底面を有する直方体の袋状形態をなしており、
前記吸水パッドは四角形状に形成されて前記紙製袋本体の前記底面に接着され、前記吸水パッドが折り込みによって形成された四角形状の前記底面の変形を防いでいることを特徴とする吸水パッド付き生ゴミ袋。
【請求項３】
前記紙製袋本体の底面に、２枚の前記吸水パッドが重ね合わされて接着される請求項２に記載の吸水パッド付き生ゴミ袋。
【請求項４】
１枚の前記吸水パッドが前記紙製袋本体の底面に、一部が下側に折り返された状態で接着される請求項２に記載の吸水パッド付き生ゴミ袋。
【請求項５】
２枚の前記吸水パッドが２つ折りにされた状態で前記紙製袋本体の底面に横並びに接着される請求項２に記載の吸水パッド付き生ゴミ袋。
【考案の詳細な説明】
【技術分野】
【０００１】
本考案は、ゴミ袋に吸水パッドが配置された吸水パッド付き生ゴミ袋に関する。
【背景技術】
【０００２】
従来、ゴミ袋において、収容した生ゴミから出る水分を吸水させるため、特許文献１に示すようなゴミ袋の底部近傍に吸水部材が配置されたゴミ袋が知られている。
【先行技術文献】
【特許文献】
【０００３】
【特許文献１】実開平５−７５２０３号公報
【考案の概要】
【考案が解決しようとする課題】
【０００４】
しかしながら、上記ゴミ袋に配置される吸水部材は、吸水性に長けた吸水性樹脂からなるものであって高コスト化は避けることができず、また日常的に使用される使い捨てのゴミ袋にこのような吸水部材が多量に使用されることは、省資源の観点からも好ましくない。
【０００５】
上記事情を鑑みて、本考案は安価で、かつ省資源化が図れる吸水パッド付き生ゴミ袋を提供することを課題とする。
【課題を解決するための手段及び考案の効果】
【０００６】
本考案は、紙製袋本体の底部に、生ゴミの水分を吸収する吸水パッドが配置され、
前記吸水パッドは外層が不織布袋で形成され、その不織布袋内に吸水材料として、古紙の裁断物又は破砕物が封入されていることを特徴とする。
【０００７】
また本考案は、紙製袋本体の底部に、生ゴミの水分を吸収する吸水パッドが接着され、
前記吸水パッドは外層が不織布袋で形成され、その不織布袋内に吸水材料として、古紙の裁断物又は破砕物が封入され、
前記紙製袋本体は折り込み線で折り込まれた四角形状の底面を有する直方体の袋状形態をなしており、
前記吸水パッドは四角形状に形成されて前記紙製袋本体の前記底面に接着され、前記吸水パッドが折り込みによって形成された四角形状の前記底面の変形を防いでいることを特徴とする。
【０００８】
このようにすれば、吸水パッドに封入された吸水材料として、古紙の裁断物又は破砕物が使われているから、古紙のリサイクルに貢献し、地球環境に資する。また原料の古紙は廃棄や焼却処分を回避する形で入手できるからコスト的にも安価に製造できる。
【０００９】
さらに、紙製袋本体が直方体の袋状であれば生ゴミを収容しやすく、底面に配置された吸水パッドによって効率良く生ゴミの水分が吸水される。また、吸水パッドが底面の変形を防いで紙製袋本体が安定して水平面に着座できる。
【００１０】
また、本考案では、前記紙製袋本体の底面に、２枚の前記吸水パッドが重ね合わされて接着される。
【００１１】
さらに、本考案では、１枚の前記吸水パッドが前記紙製袋本体の底面に、一部が下側に折り返された状態で接着される。
【００１２】
さらに、本考案では、２枚の前記吸水パッドが２つ折りにされた状態で前記紙製袋本体の底面に横並びに接着される。
【００１３】
このようにすれば、単に１枚の吸水パッドをそのまま底面に接着するよりも、一層吸水性を高めることができるとともに、吸水パッドを底面の形状に適宜対応させて接着することが可能である。
【図面の簡単な説明】
【００１４】
【図１】（ａ）本考案の吸水パッド付き生ゴミ袋を示す斜視図、（ｂ）底面図、（c）部分拡大正面図、（ｄ）吸水パッドの部分拡大断面図。
【図２】（ａ）吸水パッドを折り曲げた例を示す斜視図、（ｂ）吸水パッドを２枚重ねにした例を示す斜視図。
【図３】（ａ）２枚の吸水パッドを横並びに接着した例を示す斜視図、（ｂ）側面図、（ｃ）部分拡大斜視図。
【図４】接着部材によって封をした状態を示す斜視図。
【図５】紙製袋本体を折りたたんだ例を示す平面図。
【考案を実施するための形態】
【００１５】
（実施例１）
以下、本考案の実施例の形態を図面を参照しつつ説明する。
【００１６】
図１に示すように、吸水パッド付き生ゴミ袋１は、紙製袋本体２の底部３に、生ゴミの水分を吸収する吸水パッド４が配置されている。吸水パッド４は、外層が不織布袋で形成され、その不織布袋内に吸水材料５として、古紙の裁断物又は破砕物が封入されている。この吸水パッド付き生ゴミ袋１は、例えば高さ２２０ｍｍ、幅１８０ｍｍ、奥行き１４０ｍｍ程度とされる。
【００１７】
紙製袋本体２は、例えばポリエチレン等の合成樹脂材を被膜して耐水性を備えている。また、紙製袋本体２は、折り込み線６で折り込まれた四角形状の底面７を有する直方体の袋状形態をなしている。
【００１８】
吸水パッド４は、四角形状に形成されて紙製袋本体２の底面７に、例えばのり等の接着材１０により接着され、吸水パッド４が折り込みによって形成された四角形状の底面７の変形を防いでいる。なお、吸水パッド４内の吸水材料５は、例えば使用済みのコピー用紙、古新聞、古雑誌、ダンボール、牛乳パック等が裁断又は破砕されて細かくなったものが使用される。
【００１９】
図２（ａ）に示すように、１枚の吸水パッド４が紙製袋本体２の底面７に、一部が下側に折り返された状態で接着させたり、または２つ折りの状態で接着させることができる。このようにすれば底面７の大きさ・形状に合わせて、吸水パッド４を折り曲げ、吸水パッド４で底面７を隅々まで覆うことができるから、生ゴミの水分を漏れなく吸水することができる。
【００２０】
さらに、図２（ｂ）に示すように、紙製袋本体２の底面７に、２枚の吸水パッド４が重ね合わされた状態で接着させることもできる。このようにすれば吸水パッド４が１枚の場合と比較して、吸水パッド４の厚みが増してより一層吸水力を高めることができる。よって、多量の水分や油文を含む生ゴミの場合でも十分に吸収することができる。
【００２１】
図３に示すように、２枚の吸水パッド４が２つ折りにされた状態で紙製袋本体２の底面７に横並びに、例えばのり等の接着材１０によって接着させることもできる。この場合も、２つ折りにされた吸水パッド４が並列に配置されることで底面７を隅々まで覆うから、より一層吸水力を高めることができる。なお、上記で説明した吸水パッド４の一部を折り曲げたり、２枚重ねのものとを適宜組み合わせて実施してもよく、さらに底面７の大きさに合わせて吸水パッド４を２枚以上、並列に配置してもよい。
【００２２】
図４に示すように、紙製袋本体２上部の開口縁に接着部材８として、例えば粘着テープ等を設けて開口に封をすることができる。このようにすれば、生ゴミの匂いを外部に漏らすことがない。
【００２３】
図５に示すように、底面７に吸水パッド４を接着させたまま、紙製袋本体２を折りたたむことができる。このようにすれば、コンパクトに保管ができて、紙製袋本体２や底面７が型崩れを起こすおそれがない。
【００２４】
以上、本考案の実施の形態を説明したが、これらはあくまで例示にすぎず、本考案はこれらに限定されるものではなく、実用新案登録請求の範囲の趣旨を逸脱しない限りにおいて、当業者の知識に基づく種々の変更が可能である。
【符号の説明】
【００２５】
１  吸水パッド付き生ゴミ袋
２  紙製袋本体
３  底部
４  吸水パッド
５  吸水材料
６  折り込み線
７  底面
【図１】
0003165974.tif 000003
【図２】
0003165974.tif 000004
【図３】
0003165974.tif 000005
【図４】
0003165974.tif 000006
【図５】
0003165974.tif 000007